(57)【要約】【課題】  忘れ物／落し物通知サービスを含む幅広いユビキタスサービスとして、利便性のある、またはより高度な情報提供を行う。【解決手段】  少なくとも人が携帯することが不可能なモノに設けられたＲＦＩＤタグを含む一つもしくは複数のＲＦＩＤタグからタグＩＤを含む信号を受信する手段と、上記人が携帯することが不可能なモノに設けられたＲＦＩＤタグから受信した信号からそのモノの存在する場所の情報を取得する手段と、上記ＲＦＩＤタグから受信した一つもしくは複数の信号の内容、一つもしくは複数の信号の受信状態、受信した複数の信号の順序、ある時間内において受信した複数の信号による組合せ、またはこれら組合せに基づいて、各種サービス提供の条件が満足されたか否かを判断する手段と、上記各種サービス提供の条件が満足された場合に、対応付けられている各種サービスの提供を行う手段とを備える。【選択図】  図１
2006163910.tif 000002
【特許請求の範囲】
【請求項１】
少なくとも人が携帯することが不可能なモノに設けられたＲＦＩＤタグを含む一つもしくは複数のＲＦＩＤタグからタグＩＤを含む信号を受信する手段と、
上記人が携帯することが不可能なモノに設けられたＲＦＩＤタグから受信した信号からそのモノの存在する場所の情報を取得する手段と、
上記ＲＦＩＤタグから受信した一つもしくは複数の信号の内容、一つもしくは複数の信号の受信状態、受信した複数の信号の順序、ある時間内において受信した複数の信号による組合せ、またはこれら組合せに基づいて、各種サービス提供の条件が満足されたか否かを判断する手段と、
上記各種サービス提供の条件が満足された場合に、対応付けられている各種サービスの提供を行う手段とを備えたことを特徴とするユビキタスサービス提供システム。
【請求項２】
上記ＲＦＩＤタグは、人が携帯することが不可能なモノの他に、人が携帯することが可能なモノに設けられることを特徴とする請求項１に記載のユビキタスサービス提供システム。
【請求項３】
上記人が携帯することが不可能なモノに設けられたＲＦＩＤタグの信号を第１の周波数により周期的な連続受信を行う手段と、
上記人が携帯することが可能なモノに設けられたＲＦＩＤタグの信号を上記第１の周波数と異なる第２の周波数により間欠受信を行う手段とを備えたことを特徴とする請求項２に記載のユビキタスサービス提供システム。
【請求項４】
上記人が携帯することが不可能なモノに設けられたＲＦＩＤタグの信号の送信間隔を短くするとともに、上記連続受信の時間幅を短くしたことを特徴とする請求項３に記載のユビキタスサービス提供システム。
【請求項５】
上記人が携帯することが可能なモノに設けられたＲＦＩＤタグの信号をモニタリングし、受信不能が所定時間継続した場合に忘れ物もしくは落し物と判断する手段と、
上記忘れ物もしくは落し物と判断した時点に、受信不能となったＲＦＩＤタグの設けられた上記人が携帯することが可能なモノと上記人が携帯することが不可能なモノの存在する場所の情報とを関連付けて記憶する手段とを備えたことを特徴とする請求項２乃至４のいずれか一項に記載のユビキタスサービス提供システム。
【請求項６】
上記忘れ物もしくは落し物と判断した時点に、受信不能となったＲＦＩＤタグの設けられた上記人が携帯することが可能なモノと時刻とを関連付けて記憶する手段を備えたことを特徴とする請求項５に記載のユビキタスサービス提供システム。
【請求項７】
上記人が携帯することが不可能なモノの存在する場所の情報が所定の場所であることを示す場合に忘れ物もしくは落し物と判断しないことを特徴とする請求項５または６のいずれか一項に記載のユビキタスサービス提供システム。
【請求項８】
上記人が携帯することが不可能なモノに設けられたＲＦＩＤタグから受信した信号の内容が所定の内容である場合に、上記人が携帯することが可能なモノに設けられたＲＦＩＤタグの信号をモニタリングし、受信不能である場合に当該人が携帯することが可能なモノを忘れ物もしくは落し物と判断する手段を備えたことを特徴とする請求項２乃至４のいずれか一項に記載のユビキタスサービス提供システム。
【請求項９】
上記人が携帯することが不可能なモノに設けられたＲＦＩＤタグから受信した信号の時系列的変化から移動方向を判断する手段と、
上記移動方向の前方に存在する対象にかかる情報を提供する手段とを備えたことを特徴とする請求項１に記載のユビキタスサービス提供システム。
【請求項１０】
少なくとも人が携帯することが不可能なモノに設けられたＲＦＩＤタグを含む一つもしくは複数のＲＦＩＤタグからタグＩＤを含む信号を受信する工程と、
上記人が携帯することが不可能なモノに設けられたＲＦＩＤタグから受信した信号からそのモノの存在する場所の情報を取得する工程と、
上記ＲＦＩＤタグから受信した一つもしくは複数の信号の内容、一つもしくは複数の信号の受信状態、受信した複数の信号の順序、ある時間内において受信した複数の信号による組合せ、またはこれら組合せに基づいて、各種サービス提供の条件が満足されたか否かを判断する工程と、
上記各種サービス提供の条件が満足された場合に、対応付けられている各種サービスの提供を行う工程とを備えたことを特徴とするユビキタスサービス提供方法。
【発明の詳細な説明】
【技術分野】
【０００１】
本発明は、様々なモノに取り付けられもしくは組み込まれるＲＦＩＤ（Radio Frequency Identification）タグから送信される信号に基づいて様々なサービスを提供しサービスポータルを提供するユビキタスサービス提供システムおよびユビキタスサービス方法に関する。
【背景技術】
【０００２】
特許文献１には、携帯電話機と、この携帯電話機に搭載されるリーダ／ライタと、カバン、手帳、キーホルダ等の携帯品に貼付または装着されるＩＣタグとを有したセキュリティーシステムが開示されている。ここで、リーダ／ライタとＩＣタグとは、所定時間毎に通信を行い、通信不可能となると携帯電話機により利用者に警報を行って忘れ物等の存在を報知するようになっている。
【特許文献１】特開２００４−２８７７１３号公報
【発明の開示】
【発明が解決しようとする課題】
【０００３】
上述した特許文献１に示される技術は、リーダ／ライタにて受信される一つのタグＩＤの情報のみに基づいてサービスが提供されるものであるため、利便性のある、またはより高度なユビキタスサービスへの適用が困難であるという問題があった。
【０００４】
また、上述した特許文献１はリーダ／ライタとＩＣタグとの間で通信不可能となると警報を行って忘れ物の存在を報知するものであるが、その通知をユーザが認識できなかった場合、時間の経過とともに忘れ物をした場所との関係が希薄になり、忘れ物を探し出すことが不可能になってしまうという問題があった。
【０００５】
本発明は上記の従来の問題点に鑑み提案されたものであり、その目的とするところは、忘れ物／落し物通知サービスを含む幅広いユビキタスサービスとして、利便性のある、またはより高度な情報提供を行うことのできるユビキタスサービス提供システムおよびユビキタスサービス方法を提供することにある。
【課題を解決するための手段】
【０００６】
上記の課題を解決するため、本発明にあっては、請求項１に記載されるように、少なくとも人が携帯することが不可能なモノに設けられたＲＦＩＤタグを含む一つもしくは複数のＲＦＩＤタグからタグＩＤを含む信号を受信する手段と、上記人が携帯することが不可能なモノに設けられたＲＦＩＤタグから受信した信号からそのモノの存在する場所の情報を取得する手段と、上記ＲＦＩＤタグから受信した一つもしくは複数の信号の内容、一つもしくは複数の信号の受信状態、受信した複数の信号の順序、ある時間内において受信した複数の信号による組合せ、またはこれら組合せに基づいて、各種サービス提供の条件が満足されたか否かを判断する手段と、上記各種サービス提供の条件が満足された場合に、対応付けられている各種サービスの提供を行う手段とを備えるユビキタスサービス提供システムを要旨としている。
【０００７】
また、請求項２に記載されるように、上記ＲＦＩＤタグは、人が携帯することが不可能なモノの他に、人が携帯することが可能なモノに設けられるものとすることができる。
【０００８】
また、請求項３に記載されるように、上記人が携帯することが不可能なモノに設けられたＲＦＩＤタグの信号を第１の周波数により周期的な連続受信を行う手段と、上記人が携帯することが可能なモノに設けられたＲＦＩＤタグの信号を上記第１の周波数と異なる第２の周波数により間欠受信を行う手段とを備えるようにすることができる。
【０００９】
また、請求項４に記載されるように、上記人が携帯することが不可能なモノに設けられたＲＦＩＤタグの信号の送信間隔を短くするとともに、上記連続受信の時間幅を短くすることができる。
【００１０】
また、請求項５に記載されるように、上記人が携帯することが可能なモノに設けられたＲＦＩＤタグの信号をモニタリングし、受信不能が所定時間継続した場合に忘れ物もしくは落し物と判断する手段と、上記忘れ物もしくは落し物と判断した時点に、受信不能となったＲＦＩＤタグの設けられた上記人が携帯することが可能なモノと上記人が携帯することが不可能なモノの存在する場所の情報とを関連付けて記憶する手段とを備えるようにすることができる。
【００１１】
また、請求項６に記載されるように、上記忘れ物もしくは落し物と判断した時点に、受信不能となったＲＦＩＤタグの設けられた上記人が携帯することが可能なモノと時刻とを関連付けて記憶する手段を備えるようにすることができる。
【００１２】
また、請求項７に記載されるように、上記人が携帯することが不可能なモノの存在する場所の情報が所定の場所であることを示す場合に忘れ物もしくは落し物と判断しないものとすることができる。
【００１３】
また、請求項８に記載されるように、上記人が携帯することが不可能なモノに設けられたＲＦＩＤタグから受信した信号の内容が所定の内容である場合に、上記人が携帯することが可能なモノに設けられたＲＦＩＤタグの信号をモニタリングし、受信不能である場合に当該人が携帯することが可能なモノを忘れ物もしくは落し物と判断する手段を備えるようにすることができる。
【００１４】
また、請求項９に記載されるように、上記人が携帯することが不可能なモノに設けられたＲＦＩＤタグから受信した信号の時系列的変化から移動方向を判断する手段と、上記移動方向の前方に存在する対象にかかる情報を提供する手段とを備えるようにすることができる。
【００１５】
また、請求項１０に記載されるように、少なくとも人が携帯することが不可能なモノに設けられたＲＦＩＤタグを含む一つもしくは複数のＲＦＩＤタグからタグＩＤを含む信号を受信する工程と、上記人が携帯することが不可能なモノに設けられたＲＦＩＤタグから受信した信号からそのモノの存在する場所の情報を取得する工程と、上記ＲＦＩＤタグから受信した一つもしくは複数の信号の内容、一つもしくは複数の信号の受信状態、受信した複数の信号の順序、ある時間内において受信した複数の信号による組合せ、またはこれら組合せに基づいて、各種サービス提供の条件が満足されたか否かを判断する工程と、上記各種サービス提供の条件が満足された場合に、対応付けられている各種サービスの提供を行う工程とを備えるユビキタスサービス方法として構成することができる。
【発明の効果】
【００１６】
本発明にあっては、ＲＦＩＤタグから受信される信号の様々な組合せにより得られる情報を用いてサービスの提供を行うので、利便性がある、またはより高度なサービスの提供が可能となる。また、ユビキタスサービスの一つである忘れ物／落し物通知サービスでは、忘れ物／落し物の発生時において、発生した場所さらに発生した時刻と、忘れ物／落し物とを関連付けてユーザに通知することができるので、忘れ物／落し物が発生してから時間が経過しても忘れ物／落し物を探し出すことが容易となる。
【発明を実施するための最良の形態】
【００１７】
以下、本発明の好適な実施形態につき図面を参照して説明する。
［第１の実施形態］
図１は本発明の第１の実施形態を示す構成図である。この第１の実施形態では、ＲＦＩＤタグを利用したユビキタスサービスとして、身の回りのモノの忘れ物または落し物を通知するサービスを取上げて説明する。
【００１８】
図１において、ユーザ１である人が携帯することが可能なモノを携帯電話２と、カバン４１、カサ４２、サイフ４３等のような外出時において持っていく身の回りのモノに区別し、携帯電話２には複数のＲＦＩＤタグ（無線送信機）からの送信信号を受信可能なリーダ（無線受信機）３を内蔵または外付けし、身の回りのモノであるカバン４１、カサ４２、サイフ４３等には自己のタグＩＤ（無線送信機の識別子）を送信する機能をもったモノタグ５１、５２、５３等を貼付もしくは内蔵させてある。さらに、人が携帯することが不可能なモノとして、道路６１、６２、６３上の各所、信号機６４、街灯６５等の設置物、バス６６、タクシー６７、電車等の乗り物の車内に、自己のタグＩＤを送信する機能をもった場所タグ７１〜７７を配置してある。 
図２に忘れ物／落し物通知サービス全体の処理フローを示す。
【００１９】
はじめに、ユーザ１は、忘れ物／落し物サービス開始に先立って、モノに貼付する「モノタグの登録」を実行する（ステップＳ１）。具体的には、モノの名称とそのモノに貼付するモノタグのタグＩＤとの対応表を作成し、リーダ３または携帯電話２にその対応表を記憶する処理である。本実施形態では、その対応表を携帯電話２に記憶する方法として図３〜図５を用いて説明する。この登録処理では、ある一つのモノタグから送信されるタグＩＤのみをリーダ３に受信させるため、図３〜図５に例示した構成を採用することができる。図３の方法は、アンテナ３１からの受信信号をアッテネータ３３によって減衰させることで、リーダ３と物理的に近い距離（お互いを接触させる程度の近さ）のモノタグからのタグＩＤのみを受信させる方法である。図４の方法は、受信されるタグＩＤの受信電力を受信電力情報測定部３５によって測定し、リーダ３と物理的に近い距離に相当する受信電力値となるタグＩＤのみを検出する方法である。図５の方法は、この登録処理専用としてパッシブ型ＲＦＩＤタグを用いる方法であり、パッシブ型ＲＦＩＤタグはリーダ３と物理的に近い距離（リーダ３から数ｃｍ程度の距離）のモノタグのタグＩＤしか受信できないということを利用する方法である。もしこれらの方法をとらない場合、モノタグは電池寿命がある限り自発的に送信し続けるので、リーダ３の近傍に位置する複数のモノタグからのタグＩＤが受信されることとなり、モノに貼付する唯一のモノタグのタグＩＤを特定することが困難となる。
【００２０】
図３〜図５において、ユーザ１は、携帯電話２のキー入力部２４によるキー入力により、制御部２１に対してモノタグ登録開始の処理を要求する。その要求を受けた制御部２１は、表示部２３に対して「モノタグの登録」の画面を表示する。図３の構成の場合、制御部２１は、さらにリーダ３のスイッチ３２に対して、そのスイッチ３２の出力がアッテネータ３３側に切替わるよう制御し、受信部３４に対して連続での受信動作となるように制御する。ユーザ１は、「モノタグの登録」の画面が表示されたら、登録したいモノタグのみをリーダ３に近づける。アンテナ３１からの信号は、アッテネータ３３を介して受信部３４に入力される。受信部３４でタグＩＤが受信された場合、そのタグＩＤを携帯電話２の制御部２１に転送する。制御部２１は、タグＩＤが受信されたことを表示部２３を介してユーザ１に通知する。ユーザ１は、そのモノタグを貼付するモノの名称をキー入力部２４を介して入力し、制御部２１は、受信したタグＩＤとユーザ１が入力したモノの名称との対応をメモリ２２に記憶する。複数のモノタグを登録する場合、上記の動作を繰替えす。モノタグの登録を終了する場合、ユーザ１は、表示部２３に表示されている「終了」を選択することで、制御部２１に対してモノタグの登録終了の処理を要求する。その要求を受けた制御部２１は、表示部２３に表示されている「モノタグの登録」の画面を消去し、リーダ３のスイッチ３２に対して、そのスイッチ３２の出力が受信部３４側に切替わるよう制御する。
【００２１】
図４の構成の場合、携帯電話２の制御部２１は、リーダ３の受信部３４および受信電力情報測定部３５に対して、連続での受信動作となるように制御する。ユーザ１は、「モノタグの登録」の画面が表示されたら、登録したいモノタグのみをリーダに近づける。アンテナ３１からの信号は、受信部３４と受信電力情報測定部３５に入力され、受信部３４で受信したタグＩＤと受信電力情報測定部３５にて測定したタグＩＤの受信電力値を携帯電話２の制御部２１に転送する。制御部２１では、予め設定されている受信電力値の閾値以上であるタグＩＤが受信された場合、タグＩＤが受信されたことを表示部２３を介してユーザ１に通知する。ユーザ１は、そのモノタグを貼付するモノの名称をキー入力部２４を介して入力し、制御部２１は、受信したタグＩＤとユーザ１が入力したモノの名称との対応をメモリ２２に記憶する。複数のモノタグを登録する場合、上記の動作を繰替えす。モノタグの登録を終了する場合、ユーザ１は、表示部２３に表示されている「終了」を選択することで、制御部２１に対してモノタグの登録終了の処理を要求する。その要求を受けた制御部２１は、表示部２３に表示されている「モノタグの登録」の画面を消去し、リーダ３の受信部３４および受信電力情報測定部３５に対して連続での受信動作を停止するよう制御する。
【００２２】
図５の構成の場合、携帯電話２の制御部２１は、リーダ３のパッシブ型ＲＦＩＤリーダ部３７に対して動作開始を、受信部３４に対して動作停止となるように制御する。ユーザ１は、「モノタグの登録」の画面が表示されたら、登録したいモノタグのみをリーダに近づける。パッシブ型ＲＦＩＤリーダ部３７にて受信されたタグＩＤは、携帯電話２の制御部２１に転送される。制御部２１は、タグＩＤが受信されたことを表示部２３を介してユーザ１に通知する。ユーザ１は、そのモノタグを貼付するモノの名称をキー入力部２４を介して入力し、制御部２１は、受信したタグＩＤとユーザ１が入力したモノの名称との対応をメモリ２２に記憶する。複数のモノタグを登録する場合、上記の動作を繰替えす。モノタグの登録を終了する場合、ユーザ１は、表示部２３に表示されている「終了」を選択することで、制御部２１に対してモノタグの登録終了の処理を要求する。その要求を受けた制御部２１は、表示部２３に表示されている「モノタグの登録」の画面を消去し、リーダ３のパッシブ型ＲＦＩＤリーダ部３７に対して動作停止となるように制御する。図３〜図５のいずれの構成でも、ユーザ１は登録したいモノタグのみをリーダ３の近くに持ってくる（かざす）ことで、そのモノタグのタグＩＤのみをリーダ３に受信させ、そのモノタグのタグＩＤとそのモノタグを貼付するモノの名称との対応表を作成する。以上が、「モノタグの登録」における処理である。
【００２３】
次に、忘れ物／落し物通知サービスを開始した場合（図２のステップＳ２のＹｅｓ）に実行される「サービスの対象とするモノの登録」（図２のステップＳ３）について説明する。
【００２４】
ユーザ１は、外出前等において、携帯する身の回りのモノであって、忘れたくないモノの登録を行う。具体的には、ユーザ１は、図３〜図５において、携帯電話２のキー入力部２４によるキー操作により、制御部２１に対してサービス対象とするモノの登録処理を要求する。その要求を受けた制御部２１は、メモリ２２に登録されているモノの名称の一覧を表示部２３により「サービス対象とするモノの登録」の画面として表示する。図６（ａ）は表示画面の例を示したものであり、（ｂ）はメモリ２２に記憶されている対応表の例である。
【００２５】
ユーザ１は、忘れ物／落し物通知サービスの対象とするモノの名称を、キー操作によりモノの名称を選択し、「登録」を押下する。図３〜図５の構成の場合、携帯電話２の制御部２１は、リーダ３の受信部３４に対して連続での受信動作となるように制御する。受信部３４において受信されたタグＩＤは携帯電話２の制御部２１に転送され、制御部２１は選択された全てのタグＩＤが受信されたか否かの判断を行う。全てのタグＩＤが受信された場合、制御部２１は「サービスの対象とするモノの登録」を終了し、「サービス実行中」（図２のステップＳ４）の処理に移行するとともに、表示部２３を介してサービス開始をユーザ１に通知する。全てのタグＩＤが受信されない場合、制御部２１は「サービスの対象とするモノの登録」を終了し、受信されないタグＩＤに対応するモノの名称を表示部２３を介してユーザ１に通知する。以上が「サービスの対象とするモノの登録」における処理である。
【００２６】
「サービスの対象とするモノの登録」が終了した場合、「サービス実行中」（図２のステップＳ４）の処理に移行する。モノタグは、常時、間欠的にタグＩＤを送信するが、本実施形態では、送信の時刻がタグＩＤに依存する間欠送信を行うものとして説明する。
【００２７】
図３〜図５の構成において、携帯電話２の制御部２１は、「サービスの対象とするモノの登録」におけるタグＩＤの受信により、以降においてタグＩＤが受信される時刻を算出できるので、そのモノタグのタグＩＤが受信される時刻だけリーダ３の受信部３４を動作させる制御により、間欠受信を実行する。さらに、場所タグからの受信を可能とするために、リーダ３に周期的な連続受信を実行させる。携帯電話２を携帯したユーザ１はいたる場所に移動するので、リーダ３が受信する場所タグのタグＩＤは常に変化する。したがって、モノタグと同様な間欠受信を実行することができないので、リーダ３は連続的に受信する必要がある。しかし、受信時間率を減少することで低消費電力化を実現する必要があるので、リーダ３は短い時間幅の連続受信を周期的に実行するようにしている。この短い時間幅において場所タグから送信されるタグＩＤをリーダ３で受信させるためには、場所タグの送信時間間隔は短くする必要がある。一方、モノタグから送信されるタグＩＤは、場所タグから高頻度で送信されるタグＩＤとの衝突により、モノタグのタグＩＤの受信が困難となる。よって、本実施形態では、モノタグの送信周波数Ｆ２と、場所タグの送信周波数Ｆ１とをそれぞれ異ならせて運用するようにしている。以上、説明した動作が、ユーザ１がサービスを終了させるまで継続される。
【００２８】
図７は上述した第１の実施形態におけるサービスの開始から終了までの各タグの送信信号とリーダ３における受信のタイミングの例を示す図である。期間Ｓ３は、「サービスの対象とするモノの登録」（図２のステップＳ３）におけるリーダ３によるタグＩＤの受信期間を示している。また、期間Ｓ４は、「サービス実行中」（図２のステップＳ４）におけるモノタグの間欠受信と場所タグの連続受信とが交互に繰り返されている様子を示している。
【００２９】
次に、ユーザ１が忘れ物／落し物をして、携帯電話２がその忘れ物／落し物を通知する場合について説明する。
【００３０】
図８（ａ）に示すように、サービスの対象とするモノ（図２のステップＳ３においてユーザ１がチェックしたモノ）であるカバン４１、カサ４２が身の回りに正常に存在し、ユーザ１が保持する携帯電話２との距離が短く、モノタグ５１、５２の電波到達範囲Ａ１、Ａ２にリーダ３が入っている場合には、リーダ３による間欠受信によりモノタグ５１、５２のタグＩＤが正常に受信される。しかし、（ｂ）に示すように、サービスの対象とするモノに含まれる例えばカサ４２が忘れ物／落し物となり、ユーザ１が保持する携帯電話２との距離が長くなると、リーダ３がカサ４２に貼付されたモノタグ５２の送信する電波の到達範囲Ａ２外に到達し、タグＩＤが受信不可能となる。図３〜図５の構成において、リーダ３の受信部３４は、受信したタグＩＤを携帯電話２の制御部２１に転送しており、制御部２１は、タグＩＤ毎に転送された時においてタイマーをリセットしてスタートする制御を行っている。したがって、そのタイマー値を計測することで、受信不可能状態の継続時間が分かる。予め設定しておくタイマーのタイムアウト値をそのタイマー値が超えた場合、そのタグＩＤに対応するモノが忘れ物／落し物として認識され、その旨をユーザ１に通知する。また、リーダ３は、場所タグから送信されるタグＩＤも受信しているので、前記の忘れ物／落し物と認識した時点において受信される場所タグのタグＩＤをメモリ２２に記憶することで、忘れ物／落し物が発生した場所の特定が可能となり、ユーザ１が忘れ物／落し物の通知を見落とした場合でも、後になってから忘れ物／落し物が発生した場所を特定することが可能となる。さらに、忘れ物／落し物と認識した時点における時刻も併せてメモリ２２に記憶することで、忘れ物／落し物をした時刻の特定も可能となる。
【００３１】
また、バス等の乗り物からの降車時において忘れ物／落し物をした場合、バス等が出発した後に忘れ物／落し物があることがユーザ１に通知されることが考えられ、この場合、ユーザ１は忘れ物／落し物をすぐに取りに戻ることはできない。この場合、図９に示すような仕組を設けることで、ユーザ１はその忘れ物／落し物の通知における場所情報を取得し、素早くそのバス会社等に連絡をすることが可能となる。この動作ついて、図３〜図５に示した構成に基づいて説明する。
【００３２】
前述したタイマーのタイムアウトにより、携帯電話２の制御部２１は、表示部２３を介してユーザ１に忘れ物／落し物が発生したことを通知する。表示画面は図１０に示したようなものであり、ここでは「カサ」が忘れ物となった旨および時刻を表示するとともに、「忘れた場所に連絡」を選択できるようにしている。ユーザ１は、キー入力部２４のキー操作により、「忘れた場所へ連絡」を選択し決定する。その要求を受けた制御部２１は、セルラー送受信部２５を使ってサーバ８に問い合わせを行い（図９のステップＳ１１）、バス会社の電話番号、メールアドレス、ＵＲＬ等の連絡先の情報を取得する（図９のステップＳ１２）。取得した電話番号等の情報は制御部２１により表示部２３に表示される。そして、ユーザ１は、表示された電話番号に電話をかける等の対応を行うことで、素早く忘れ物／落し物をしたバスのバス会社等に連絡をすることが可能となる。また、バス毎に異なるタグＩＤの場所タグが配置されている場合、上述したのと同様にサーバ８に問い合わせを行い、タグＩＤに対応する情報を取得することで、バス会社の電話番号とバスの特定が可能な番号を表示部２３に表示させることが可能となる。タクシーの場合なども、同様に、タクシーの運転手が持っている（タクシーの車両毎に配置されている）携帯電話の電話番号とそのタクシーの車内に配置している場所タグのタグＩＤとの対応をサーバ８に保持させ、前記と同様にサーバ８に問い合わせを行い、タグＩＤに対応する情報を取得することで、タクシーの運転手の携帯番号を表示部２３に表示させることが可能となる。なお、上記の説明では、サーバ８へのアクセスにセルラー網を利用する場合について説明したが、ワイヤレスＬＡＮ、ＦＷＡなどを用いる場合でもセルラー送受信部２５がそれぞれのシステムの送受信部に置き換わるだけで、同様に適用が可能である。
【００３３】
一方、場所タグが送信する情報としては、次の二つの方法がある。一つの方法は、図１１（ａ）に示すように、場所タグのタグＩＤとともに、その場所タグが設置されている場所の住所、または緯度と経度、またはこれらとモノ（人が携帯することが不可能なモノ）の名称を含ませる方法である。もう一つの方法は、（ｂ）に示すように、場所タグのタグＩＤのみとする方法である。後者の場合は、（ｃ）に示すように、場所タグ７からタグＩＤを読み取ると（ステップＳ２１）、タグＩＤに対応する情報の問い合わせをサーバ８に対して行い（ステップＳ２２）、サーバ８で管理される対応表に基づいてタグＩＤに対応する住所等の情報の返答を受ける（ステップＳ２３）ことで場所の情報を取得するものである。なお、サーバ８を用いずに、携帯電話２もしくはリーダ３の内部でタグＩＤとその場所タグが配置されている緯度と経度、または住所、またはこれらとそのモノの名称とを対応付けしておいてもよい。上記の２つの方法を比較すると次のような特徴がある。すなわち、場所タグのタグＩＤとともに住所等を併せて送信する方法は、タグが送信する情報をタグ自体に書き込む手間があること、タグが送信するビット数が多いので送信時間が長く受信率が低いことが欠点ではあるが、タグＩＤの受信のみで場所の情報が得られることが利点である。一方、場所タグのタグＩＤのみを送信する方法は、サーバ等で場所タグの情報を一元管理できること、タグＩＤのみの送信なのでビット数がさほど大きくなく受信率が高いことが利点ではあるが、タグＩＤに対応した情報を取得するためサーバ等に問合せを要することが欠点である。しかしながら、一度取得した情報は、携帯電話２もしくはリーダ３に蓄積する方法も併用することで、新たな場所に赴いた時のみサーバ等ヘの問合せが行われるようにすることで、その欠点の程度は小さくすることができる。
【００３４】
ところで、オフィス内において打ち合わせ等のための離席により、ユーザ１のカバン等とユーザ１が保持する携帯電話２との距離が長くなり、リーダ３がそのカバンに貼付してあるモノタグが送信する電波の到達範囲外に到達した場合に、そのカバン等を忘れ物としてユーザ１に通知するのは不合理である。この場合、リーダ３が受信する一つ以上の場所タグのタグＩＤの中で、オフィス内であることを示す場所タグのタグＩＤを受信している場合は、忘れ物／落し物と認識させないという判断をさせることで、上記の不合理性を回避することが可能となり、サービス性も向上する。
【００３５】
また、モノを公園のベンチ等のように、野外のとある場所に忘れた場合は、場所タグではなくＧＰＳ(Global Positioning System)等を用いても忘れた場所を特定することができるが、建物内または地下街のとある場所（ＧＰＳの受信が不可能な場所）、または乗り物の中（この場合は、忘れ物／落し物をした緯度経度が必要ではなく、忘れ物／落し物をした乗り物を特定することが必要である）に忘れた場合は、場所タグを用いる本発明でのみ可能になる。
［第２の実施形態］
上記の第１の実施形態ではリーダ３がモノタグおよび場所タグを常時モニタリングすることで忘れ物／落し物通知のサービスを実現する方法について説明したが、本実施形態ではユーザ１が特定の場所に到着した場合に忘れ物／落し物があるか否かの判断をする方法について説明する。
【００３６】
図１２は第２の実施形態における忘れ物／落し物通知サービスの処理を示すフローチャートであり、図１３は第２の実施形態におけるサービスの開始から終了までの各タグの送信信号とリーダにおける受信のタイミングの例を示す図である。
【００３７】
図１２において、忘れ物／落し物通知サービスの開始に先立って、ユーザ１はモノに貼付する「モノタグの登録」を実行する（ステップＳ３１）。この「モノタグの登録」の処理は、前述した第１の実施形態と同様である。
【００３８】
次いで、忘れ物／落し物通知サービスを開始する場合（ステップＳ３２のＹｅｓ）、「サービスの対象とするモノの登録」（ステップＳ３３）に移行する。この「サービスの対象とするモノの登録」の処理についても前述した第１の実施形態と同様である。
【００３９】
次いで、「サービスの対象とするモノの登録」（ステップＳ３３）が終了したら、「サービス実行中」の処理（ステップＳ３４）に移行する。この処理では、リーダ３が建物の出入口等のような特定の場所に配置されている場所タグからのタグＩＤを受信した場合に、「サービスの対象とするモノの登録」（ステップＳ３３）時において登録したモノタグのタグＩＤを連続受信で受信する処理が行われる。図１３においては、サービス実行中の期間Ｓ３４における期間Ｓ３４１、Ｓ３４２は場所タグの連続受信を行い、期間Ｓ３４２の連続受信により特定の場所に配置されている場所タグからのタグＩＤを受信したことで、続く期間Ｓ３４３においてモノタグからのタグＩＤを連続受信している状態を示している。
【００４０】
なお、場所タグが送信する情報としては、第１の実施形態で説明したように、タグＩＤとともに建物の出入口ということを含む情報、またはタグＩＤのみとする方法がある。また、図１４に示すように、場所タグのタグＩＤを、タグ自体を識別する部分と、リーダ３に特定のアクションを起こさせる部分と、場所タグまたはモノタグを区別する部分とに分割し、リーダ３に特定のアクションを起こさせる部分を「忘れ物／落し物通知サービス実行中の場合、対象としたモノのモノタグのタグＩＤを受信する」というアクションを表すビット列とすることで、サーバ等に問合せることなく目的のアクションが実行されるようにすることができる。
【００４１】
以上の動作を図３〜図５の構成に基づいてより詳細に説明する。携帯電話２の制御部２１は、予め設定されている時間間隔で、周波数Ｆ１で連続受信（図１３のＳ３４１、Ｓ３４２）するようにリーダ３の受信部３４を制御する。連続受信中に受信された場所タグのタグＩＤは、携帯電話２の制御部２１に転送される。制御部２１は、受信された場所タグのタグＩＤに含まれるリーダ３のアクションを表す部分のビット列を解析する。そのビット列が「忘れ物／落し物通知サービス実行中の場合、対象としたモノのモノタグのタグＩＤを受信する」ということを意味するビット列と等しい場合、制御部２１はリーダ３の受信部３４に対して周波数Ｆ２で連続受信の開始を制御し、タイマーを開始する。リーダ３の受信部３４は、周波数Ｆ２で連続受信を行い、受信されたモノタグのタグＩＤを携帯電話２の制御部２１に転送する。制御部２１は、「サービスの対象とするモノの登録」（図１２のステップＳ３３）において登録したモノタグのタグＩＤと、受信されるモノタグのタグＩＤとを比較する。その比較により、タイマーのタイムアウト値以内に、その登録したモノタグのタグＩＤが全て受信されていると判断された場合、制御部２１は、リーダ３の受信部３４に対して、現在行われている周波数Ｆ２での連続受信を停止するよう制御する。以降、前記と同様に、予め設定されている時間間隔で、周波数Ｆ１で連続受信（図１３のＳ３４１、Ｓ３４２）するように、制御部２１は受信部３４を制御する。一方、登録したモノタグのタグＩＤが全て受信されていると判断されず、タイマーがタイムアウトとなった場合、制御部２１は、表示部２３により、受信されていないモノタグのタグＩＤに対応するモノの名称を表示し、リーダ３の受信部３４に対して、現在行われている周波数Ｆ２での連続受信を停止するよう制御する。ユーザ１は、その表示により、第１の実施形態で説明した方法と同様に、忘れ物／落し物の場所などについて確認をする。
【００４２】
本実施形態では、モノタグを常時モニタリングしない方法なので、リーダ３の低消費電力化は第１の実施形態よりも向上するが、忘れ物／落し物をした場所および時刻を特定することはできない。
［第３の実施形態］
本実施形態では、ユーザ１が移動する方向も考慮した場所に特化した情報を提供するサービスについて説明する。
【００４３】
図１５はユーザ１が場所タグ７１、７２、・・・の配置された店舗Ａ、Ｂ、・・・の前を移動している様子を示しているが、ユーザ１の所持する携帯電話２に設けられたリーダ３が受信した場所タグ７１、７２、・・・のタグＩＤの順番、つまり受信したタグＩＤの時系列データ（タグＩＤが受信された順番で保持されたデータ）を用いることで、ユーザ１が進んでいる方向を検知することが可能となる。この方法により、ユーザ１がこれから訪れるまたは通過する場所（店舗、駅等）に関する情報をユーザ１に通知することが可能となる。例えば、図１５の場合、ユーザ１が左側から店舗Ａを通過し店舗Ｂの前に差し掛かり、店舗Ｃに設けられた場所タグ７３の電波到達範囲ａ３に入った時点において、ユーザ１が保持している携帯電話２に記憶されるタグＩＤの時系列データは、最新に受信したタグＩＤを先頭に「場所タグ＃１３」、「場所タグ＃１２」、「場所タグ＃１１」、・・・ となる。したがって、「場所タグ＃１３」が受信された時点で、その前に「場所タグ＃１２」、「場所タグ＃１１」、・・・が続くことで、図１５の左から右方向に移動中であることがわかり、その前方に位置する駅に向かっているものと推定することができる。
【００４４】
以下、図１６に示すように、場所タグ＃１３（場所タグ７３）のタグＩＤが表す情報として、あるプログラムが対応付けられている一例に基づいて説明する。場所タグ＃１３のタグＩＤをリーダ３により受信（ステップＳ４１）することで、携帯電話２はサーバ８に対して情報の問合せ（ステップＳ４２）を行い、サーバ８から情報（プログラム）が携帯電話２にダウンロード（ステップＳ４３）される。このプログラムのダウンロードは、セルラー電話の基地局からの報知信号などを用いて、予めダウンロードする方法でもよい。
【００４５】
そして、携帯電話２は、ダウンロードしたそのプログラムの実行を開始する。プログラムは、先ず、直前に受信した場所タグのタグＩＤとして「場所タグ＃１２」、「場所タグ＃１１」が記憶されているか否かを判断する（ステップＳ５１）。ここではその通りに記憶されているものとすると、続いて、経路上の前方に位置する駅における電車の発車時刻、運行状況等を提供するホームページのＵＲＬを携帯電話２のディスプレイ上に表示する（ステップＳ５２）。一方、ユーザ１が駅から逆方向に移動してきて場所タグ＃１３のタグＩＤをリーダ３により受信した場合は、ユーザ１の携帯電話２には直前に受信した場所タグのタグＩＤとして、「場所タグ＃１２」、「場所タグ＃１１」が記憶されていないので、ステップＳ５１の判断においてＮｏとなり、何も実行されることなくプログラムが終了する。このように、駅に向かうユーザに対してのみ、駅に関する情報を提供することが可能となり、場所に特化した情報を提供することができ、サービスの品質が向上する。
【００４６】
上記の動作を図３〜図５の構成に基づいてより詳細に説明する。リーダ３の受信部３４は、受信を実行しており、受信したタグＩＤを携帯電話２の制御部２１に転送する。制御部２１では、受信された場所タグのタグＩＤを受信された順序が分かるようにメモリ２２に記憶させる。ここで、場所タグ＃１３のタグＩＤは、図１４に示した構成とし、タグＩＤを受信したリーダ３のアクションを表す部分には、「ユーザに対して詳細情報があることを通知する」というアクションが対応付けされているものとする。
【００４７】
受信された場所タグ＃１３のタグＩＤは、携帯電話２の制御部２１に転送され、制御部２１では、転送されたタグＩＤを解析し、リーダ３のアクションとして「ユーザに対して詳細情報があることを通知する」ということを検知する。制御部２１は、詳細情報があることを例えば図１７に示すように表示部２３に表示させる。この表示を見たユーザ１は、詳細情報を確認する場合、キー入力部２４のキー操作により「確認する」を選択することで、制御部２１に対して確認を要求する。この要求を受付けた制御部２１は、セルラー送受信部２５に対して、サーバ８に記憶されているそのタグＩＤに対応付けられている詳細情報（ここではプログラム）をダウンロードするように制御する。そして、制御部２１は、ダウンロードしたプログラムを実行する。この時に、駅に向かうユーザ１が保持する携帯電話２のメモリ２２には、「場所タグ＃１２」、「場所タグ＃１１」が記録されているので、制御部２１は、電車の発車時刻、運行状況等の情報を提供するＨＰのＵＲＬを表示部２３に表示する。そして、ユーザ１は、表示されたそのＵＲＬを選択することで、所定のＨＰを表示させることができ、電車の発車時刻、運行状況等の情報を取得することができる。なお、上記の例では、場所タグ＃１３のタグＩＤを受信してからサーバ８に対応付けられている詳細情報をダウンロードする方法について説明したが、以下のように、予めダウンロードする方法でも可能である。例えば、セルラー電話の基地局からの報知信号または街中にあるホットスポットなどを介し、予め各自の携帯電話２にサーバ８に記憶されている詳細情報をメモリ２２にダウンロードしておく。そして、駅に向かうユーザ１が保持する携帯電話２のメモリ２２には、「場所タグ＃１２」、「場所タグ＃１１」が記録されているので、場所タグ＃１３のタグＩＤを受信すると、制御部２１は、電車の発車時刻、運行状況等の情報を提供するＨＰのＵＲＬを表示部２３に表示する。以降は、前記と同様に、ユーザ１はキー操作により表示されたそのＵＲＬを選択するだけで、所定のＨＰを表示させ、電車の発車時刻、運行状況等の情報を取得することができる。
［第４の実施形態］
図１８は本発明を危険エリア通知サービスに適用した第４の実施形態を示す構成図であり、第３の実施形態と同様に、ユーザが移動する方向も考慮した、場所に特化した情報を提供するサービスについての例である。
【００４８】
ここでは、ユーザ１の携帯電話２には、セルラー電話の基地局からの報知信号または街中にあるホットスポットなどを介し、サーバ８に記憶されている詳細情報がダウンロードにより予めメモリ２２（図３〜図５）に記憶されているものとして説明する。図１８および図３〜図５において、ユーザ１が、工事現場等のような危険な場所にルートａで近づく場合、メモリ２２には、「場所タグ＃２１」「場所タグ＃２５」または「場所タグ＃２４」「場所タグ＃２５」の順番で記憶されている。この場合、制御部２１は、詳細情報として対応付けられている「前方に危険地帯があります。左に避けてください。」といったメッセージを表示部２３に表示させる。また、ルートｂで近づく場合、メモリ２２には、「場所タグ＃２３」「場所タグ＃２５」、または「場所タグ＃２６」「場所タグ＃２５」の順番で記憶されている。この場合、制御部２１は、詳細情報として対応付けられている「前方に危険地帯があります。右に避けてください。」といったメッセージを表示部２３に表示させる。また、場所タグ＃２２に近づく場合、対応付けられている詳細情報はないので、何も表示しない。
【００４９】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５０】
【図１】本発明を忘れ物／落し物通知サービスに適用した第１の実施形態を示す構成図である。
【図２】第１の実施形態における忘れ物／落し物通知サービスの処理を示すフローチャートである。
【図３】携帯電話およびリーダの構成例を示す図（その１）である。
【図４】携帯電話およびリーダの構成例を示す図（その２）である。
【図５】携帯電話およびリーダの構成例を示す図（その３）である。
【図６】サービス対象のモノの登録を行う表示画面等の例を示す図である。
【図７】第１の実施形態におけるサービスの開始から終了までの各タグの送信信号とリーダにおける受信のタイミングの例を示す図である。
【図８】モノタグのモニタリングによる忘れ物／落し物の検出の様子を示す図である。
【図９】場所タグに対応付けられている情報を取得する例を示す図である。
【図１０】忘れ物／落し物を検出した際の表示画面の例を示す図である。
【図１１】場所タグの送信信号の例を示す図である。
【図１２】第２の実施形態における忘れ物／落し物通知サービスの処理を示すフローチャートである。
【図１３】第２の実施形態におけるサービスの開始から終了までの各タグの送信信号とリーダにおける受信のタイミングの例を示す図である。
【図１４】場所タグの送信信号の例を示す図である。
【図１５】第３の実施形態においてユーザの移動に伴って取得されるタグＩＤ時系列データの例を示す図である。
【図１６】場所タグに対応付けられた情報に基づいて情報提供を行う例を示す図である。
【図１７】詳細情報が対応付けられている場所タグを検出した場合の表示画面の例を示す図である。
【図１８】本発明を危険エリア通知サービスに適用した第４の実施形態を示す構成図である。
【符号の説明】
【００５１】
１                ユーザ
２                携帯電話
２１              制御部
２２              メモリ
２３              表示部
２４              キー入力部
２５              セルラー送受信部
２６              アンテナ
３                リーダ
３１              アンテナ
３２              スイッチ
３３              アッテネータ
３４              受信部
３５              受信電力情報測定部
３６              アンテナ
３７              パッシブ型ＲＦＩＤリーダ部
４１              カバン
４２              カサ
４３              サイフ
５１〜５３        モノタグ
６１〜６３        道路
６４              信号機
６５              街灯
６６              バス
６７              タクシー
７、７１〜７７    場所タグ
８                サーバ
【図１】
2006163910.tif 000003
【図２】
2006163910.tif 000004
【図３】
2006163910.tif 000005
【図４】
2006163910.tif 000006
【図５】
2006163910.tif 000007
【図６】
2006163910.tif 000008
【図７】
2006163910.tif 000009
【図８】
2006163910.tif 000010
【図９】
2006163910.tif 000011
【図１０】
2006163910.tif 000012
【図１１】
2006163910.tif 000013
【図１２】
2006163910.tif 000014
【図１３】
2006163910.tif 000015
【図１４】
2006163910.tif 000016
【図１５】
2006163910.tif 000017
【図１６】
2006163910.tif 000018
【図１７】
2006163910.tif 000019
【図１８】
2006163910.tif 000020